(57)【要約】      （修正有）【課題】強制排出指示を行っても光ディスクが排出されないときに光ディスクの排出が不能になっていることをユーザに知らせて不要な強制排出指示を実行させない光ディスク装置を提供する。【解決手段】挿入された光ディスクに対して記録及び／又は再生を行う光ピックアップ１０と、光ディスクを装置の外部に排出するディスク排出手段７と、光ディスクの強制排出指示が所定期間内に所定回数行われたときに、装置内部に光ディスクが存在するか否かを判定し、光ディスクが装置内部に存在すると判定したときは報知部８を介して光ディスクの排出が不能になっていることを報知する制御部１と、を備える。【選択図】図１
2012238353.tif 000002
【特許請求の範囲】
【請求項１】
挿入された光ディスクに対して記録及び／又は再生を行う光ピックアップと、
光ディスクを装置の外部に排出するディスク排出手段と、
光ディスクの強制排出指示が所定期間内に所定回数行われたときに、装置内部に光ディスクが存在するか否かを判定し、光ディスクが装置内部に存在すると判定したときは報知部を介して光ディスクの排出が不能になっていることを報知する制御部と、
を備えることを特徴とする光ディスク装置。
【請求項２】
前記光ディスク装置は、光ディスクが装置内部に存在することを検知するディスク検知センサを備え、
前記制御部は、前記ディスク検知センサの検知結果に基づいて、装置内部に光ディスクが存在するか否かを判定することを特徴とする請求項１に記載に光ディスク装置。
【請求項３】
前記光ピックアップはレーザーダイオードと、当該レーザーダイオードから放射されたレーザー光を光ディスクに設けられている信号記録層に集束させる対物レンズと、光ディスクによって反射されたレーザー光を受光する受光素子と、を備え、前記制御部は、前記レーダーダイオードにレーザー光を放射させ、その反射光を前記受光素子が受光したか否かに基づいて装置内部に光ディスクが存在するか否かを判定することを特徴とする請求項１に記載の光ディスク装置。
【請求項４】
前記光ディスクは大径ディスクと小径ディスクとを収納可能な光ディスク装置であって、前記ディスク検知センサは装置内部に大径ディスクが存在するか否かのみ検知可能であり、
前記光ピックアップはレーザーダイオードと、当該レーザーダイオードから放射されたレーザー光を光ディスクに設けられている信号記録層に集束させる対物レンズと、光ディスクによって反射されたレーザー光を受光する受光素子と、を備え、
前記制御部は、前記光ディスク検知センサにより光ディスクが検知されなかったときに、前記レーダーダイオードにレーザー光を放射させ、その反射光を前記受光素子が受光したか否かに基づいて装置内部に光ディスクが存在するか否かを判定することを特徴とする請求項２に記載の光ディスク装置。
【請求項５】
前記制御部は、光ディスクが装置内部に存在しないと判定したときは報知部を介して光ディスクが装置内部に存在しないことを報知することを特徴とする請求項１〜請求項４のいずれか１項に記載の光ディスク装置。
【発明の詳細な説明】
【技術分野】
【０００１】
本発明はＣＤ、ＤＶＤなどの光ディスク装置に関し、特に光ディスク装置から光ディスクが排出されないときにユーザに対して光ディスクの排出が不能であることを報知する光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザー光を光ディスクの記録面に集光させて照射することでデータの記録を行い、及び（又は）前記記録面に照射され反射してきたレーザー光を検出して情報の再生を行っている。
【０００３】
従来から光ディスク装置として光ディスクを収納したディスクトレイを出し入れするトレイタイプのものと、スロットを通して光ディスクを出し入れするスロットインタイプのものがある。スロットインタイプの光ディスク装置は、光ディスクが挿入されるディスク挿入口の近傍に搬送ローラとディスクガイド部材が設けられており、挿入された光ディスクはディスクガイド部材にガイドされながら搬送ローラによって搬送される。一方、トレイタイプの光ディスク装置は、光ディスクが載置されるディスクトレイを備えており、このディスクトレイが本体ケース（シャーシケース）内に収納された収納位置と、本体ケースから突出した取出位置との間で移動可能となっている。取出位置にあるディスクトレイに光ディスクを入れてから、例えば操作ボタンを押すと、ローディングモータが始動してディスクトレイと共に光ディスクが搬送される。
【０００４】
そして、光ディスク装置から光ディスクを排出するときは、単押しの押釦操作など通常排出指示を行うことでモーターが逆回転し、光ディスクの排出を行う。しかしながら、停電や光ディスク装置の不具合などによって通常排出指示では光ディスクが排出されずに光ディスクが装置内に残されたままの状態となることがある。そこで、特にスロットインタイプの光ディスク装置では、長押しの押釦操作など強制排出指示を行うことで光ディスク装置から光ディスクを強制的に排出する強制排出機能が備わっている。
【０００５】
例えば特許文献１に記載されているディスク再生装置は、ディスクの有無を検知するセンサを備え、当該センサが故障してＯＦＦ信号（センサ上にディスクが存在しないときの信号）しか出力しないようになった場合において、イジェクトボタンを長押しすることにより、ディスクを取り出すことができることが開示されている。
【０００６】
また、特許文献２に記載されている媒体記録再生装置は、例えばＭＤ装置におけるエスカッションにイジェクトキーやプレイキーという機能キーがない場合においては、各指定領域に係るディスクの有無をユーザに通知するＮｏ．ランプを備えたＮｏ．キーにて当該機能を補い、具体的にはイジェクトモードとプレイモードはＮｏ．キーが押下された場合に起動するものであり、当該キーの押下時間に応じて、長押しでイジェクトモード、短押し（単押し）でプレイモードを起動することが開示されている。
【先行技術文献】
【特許文献】
【０００７】
【特許文献１】特開２００６−２０９８６２号公報
【特許文献２】特開平０７−２８２５２８号公報
【発明の概要】
【発明が解決しようとする課題】
【０００８】
しかしながら、特許文献１に開示されているような強制排出指示を行っても光ディスクが光ディスク装置から排出されないことがあり、その場合ユーザは視認することで光ディスクが排出されていないことを把握することはできても、何故光ディスクが排出されないのかについては知ることができず、何度も強制排出指示を実行することがあった。
【０００９】
本発明は上述した問題点に鑑み、強制排出指示を行っても光ディスクが排出されないときに光ディスクの排出が不能になっていることをユーザに知らせて不要な強制排出指示を実行させない光ディスク装置を提供することを目的とする。
【課題を解決するための手段】
【００１０】
上記目的を達成するために本発明の光ディスク装置は、挿入された光ディスクに対して記録及び／又は再生を行う光ピックアップと、光ディスクを装置の外部に排出するディスク排出手段と、光ディスクの強制排出指示が所定期間内に所定回数行われたときに、装置内部に光ディスクが存在するか否かを判定し、光ディスクが装置内部に存在すると判定したときは報知部を介して光ディスクの排出が不能になっていることを報知する制御部と、を備えることを特徴としている。
【００１１】
この構成によれば、光ディスクの排出が不能であることを報知するので、ユーザが不要な（無駄な）強制排出指示を実行することを防ぐことができる。
【００１２】
また上記構成の光ディスク装置において、前記光ディスク装置は、光ディスクが装置内部に存在することを検知するディスク検知センサを備え、前記制御部は、前記ディスク検知センサの検知結果に基づいて、装置内部に光ディスクが存在するか否かを判定することが望ましい。
【００１３】
この構成によれば、光ディスク検知センサを用いて光ディスク装置の内部に光ディスクが存在するか否かを判定することができる。
【００１４】
また上記構成の光ディスク装置において、前記光ピックアップはレーザーダイオードと、当該レーザーダイオードから放射されたレーザー光を光ディスクに設けられている信号記録層に集束させる対物レンズと、光ディスクによって反射されたレーザー光を受光する受光素子と、を備え、前記制御部は、前記レーダーダイオードにレーザー光を放射させ、その反射光を前記受光素子が受光したか否かに基づいて装置内部に光ディスクが存在するか否かを判定することが望ましい。
【００１５】
この構成によれば、光ピックアップ（レーザーダイオードを含む）を用いて光ディスク装置の内部に光ディスクが存在するか否かを判定することができる。
【００１６】
また上記構成の光ディスク装置において、前記光ディスクは大径ディスクと小径ディスクとを収納可能な光ディスク装置であって、前記ディスク検知センサは装置内部に大径ディスクが存在するか否かのみ検知可能であり、前記光ピックアップはレーザーダイオードと、当該レーザーダイオードから放射されたレーザー光を光ディスクに設けられている信号記録層に集束させる対物レンズと、光ディスクによって反射されたレーザー光を受光する受光素子と、を備え、前記制御部は、前記光ディスク検知センサにより光ディスクが検知されなかったときに、前記レーダーダイオードにレーザー光を放射させ、その反射光を前記受光素子が受光したか否かに基づいて装置内部に光ディスクが存在するか否かを判定することが望ましい。
【００１７】
この構成によれば、装置内部に大径ディスクが収納されているときにはディスク検知センサによって検知されるのでレーザーダイオードが使用されることがなく、装置内部に小径ディスクが収納されているときに限ってレーザーダイオードが使用されるので、レーザーダイオードの消耗を抑えつつ、光ディスク装置の内部に光ディスクが存在するか否かを判定することができる。
【００１８】
また上記構成の光ディスク装置において、前記制御部は、光ディスクが装置内部に存在しないと判定したときは報知部を介して光ディスクが装置内部に存在しないことを報知することが望ましい。
【００１９】
この構成によれば、光ディスクが光ディスク装置の内部に存在しないことを報知するので、ユーザが不要な（無駄な）強制排出指示を実行することを防ぐことができる。
【発明の効果】
【００２０】
本発明によれば、光ディスクの排出が不能であることを報知するので、ユーザが不要な（無駄な）強制排出指示を実行することを防ぐことができる。
【図面の簡単な説明】
【００２１】
【図１】は、本発明の光ディスク装置の構成を示すブロック図である。
【図２】は、本発明の光ディスク装置の制御部が実行する処理の流れを示す第１のフローチャートである。
【図３】は、本発明の光ディスク装置の制御部が実行する処理の流れを示す第２のフローチャートである。
【図４】は、本発明の光ディスク装置の制御部が行う報知の一例である表示部への表示態様の一例を示す図である。
【発明を実施するための形態】
【００２２】
以下に本発明の光ディスク装置について図面を参照して説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２３】
図１は、本発明の光ディスク装置の構成を示すブロック図である。光ディスク装置３０は制御部１と、操作部２と、表示部３と、ディスク検知センサ４と、ＯＳＤ映像信号生成部５と、映像信号処理部６と、ディスク搬送部７と、光ピックアップ１０と、スピンドルモータ２０とを備えている。
【００２４】
制御部１は光ディスク装置３０全体を総括的に制御する制御手段である。制御部１はＣＰＵとＲＯＭとＲＡＭ（いずれも不図示）とを含んでいる。ＲＯＭには制御部１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００２５】
操作部２は、光ディスク装置３０が有する各種機能を使用するための操作手段である。操作部２としては、光ディスク装置３０本体に各種のキーやボタンを設けてもよいし、後述する表示部３にタッチパネル機能を付加してもよい。また、操作部２として光ディスク装置３０本体を遠隔操作するためのリモートコントローラを操作部２として用いても構わない。本発明においては操作部２に光ディスクを排出するための排出指示手段（例えば、排出釦）が備えられている。操作部２が排出釦を備える場合において、単押しの押釦操作は通常の光ディスクの排出指示（通常排出指示）であり、長押しの押釦操作は強制的な光ディスクの排出指示（強制排出指示）である。
【００２６】
強制排出指示による光ディスクの排出方法は特に限定されるものではないが、例えば、強制排出指示による光ディスクの排出時のモーターのトルクを、通常排出指示による光ディスクの排出時のモーターのトルクより大きくする。これにより、通常排出時のモーターのトルクを超える負荷がかかったことによって光ディスクが排出できないときでも、強制排出時のモーターのトルクが当該負荷を超えるものであれば光ディスクを排出することができる。
【００２７】
表示部３は、画像を表示するものである。表示部３は、制御部１から映像データ、トラック情報、ファイル情報が供給され、これらのデータ、情報に基づいて、映像や文字等を表示する。表示部３は光ディスク装置３０本体に設けてもよいし、光ディスク装置３０に無線又は有線で接続された、例えば、液晶ディスプレイ、ＥＬ（Electro-Luminescence）ディスプレイを備える表示装置であってもよい。
【００２８】
ディスク検知センサ４は光ディスク装置３０内に光ディスクが存在するか否かを検知するセンサである。ディスク検知センサ４は例えば赤外線発光部と赤外線受光部とからなる。具体的には、光ディスク装置３０が有する基板上のディスク挿入口近傍に赤外線発光部が実装され、その上部には、光ディスクが光ディスク装置３０内に挿入されたときに光ディスクを挟んで赤外線発光部と対向するように赤外線受光部が設けられている。そして、光ディスク装置３０に光ディスクが挿入されると、赤外線発光部から放出された赤外線が光ディスクによって遮断され、赤外線受光部が赤外線を受光できなくなるので、光ディスク装置３０内に光ディスクが存在することを検知することができる。
【００２９】
ＯＳＤ映像信号生成部５は制御部１からの制御命令に従ってＯＳＤ映像信号を生成する。具体的には、制御部１が例えばメモリからエラーメッセージデータ等を読み出してＯＳＤ映像信号生成部５に供給し、ＯＳＤ映像信号生成部５はそのエラーメッセージデータによりＯＳＤ映像信号を生成する。
【００３０】
映像信号処理部６は、ＯＳＤ映像信号生成部５によって生成されたＯＳＤ映像信号と例えばＢＤに記録されているコンテンツの映像信号とを合成（重畳）し、その合成後の信号を映像信号として出力する。そして、制御部１は映像信号処理部６から出力された合成後の映像信号に基づいて表示部３に映像を表示する。なお、制御部１によってコンテンツの映像信号の出力が禁止されているときは、映像信号処理部６はＯＳＤ映像信号のみを出力し、制御部１はＯＳＤ映像信号に基づいて表示部３に映像を表示する。
【００３１】
ディスク搬送部７は、制御部１からの制御により、ディスク再生位置とディスク排出位置との間で光ディスクを搬送する光ディスク搬送手段である。すなわち、ディスク搬送部７は光ディスクを装置の外部に排出するディスク排出手段と言い換えることもできる。光ディスクの排出時には、例えば、スピンドルモータ２０の回転が停止され、クランパ（図示せず）が上昇して光ディスクが開放されるとともに、搬送ローラ（図示せず）に逆回転が与えられることにより、光ディスクがディスク挿入口（ディスク排出口）から排出される。
【００３２】
報知部８は各種情報を報知する。報知方法は内容を理解することができる方法であれば特に制限されないが、例えばスピーカ（不図示）を介して所定の音声を出力することにより行われる。また、表示部２に所定の文字や画像等を表示することによって行ってもよく、或いは音声と表示を同時に行うこととしてもよい。説明の簡略化のために報知部８と表示部３を別の構成として設けているが、報知方法が表示部３への所定の文字や画像等の表示を含む場合には報知部８が表示部３を含む構成として設けてもよい。
【００３３】
光ピックアップ１０は、光ディスクからデータを読み出すためのものであり、レーザーダイオード１１と、対物レンズ１２と、アクチュエータ１３と、受光素子１４とを備えている。
【００３４】
レーザーダイオード１１は、光ディスクに照射するためのレーザー光（光ビーム）を発する光源である。対物レンズ１２は、レーザー光を光ディスクの記録面（光ディスクに設けられている信号記録層）に集束させ、また、光ディスクによって反射されたレーザー光（反射光）を平行光にするためのレンズである。アクチュエータ１３は、対物レンズ１２の位置を制御するものである。受光素子１４は、反射光を受光し、反射光の強度を検出して電気信号に変換するものである。
【００３５】
スピンドルモータ２０は、ターンテーブルやクランプ機構にて保持する光ディスクを、所定の回転速度で回転駆動する。
【００３６】
[第１実施形態]
本発明の光ディスク装置３０の第１実施形態について図２を用いて説明する。図２は、本発明の光ディスク装置の制御部が実行する処理の流れを示す第１のフローチャートである。
【００３７】
ステップＳ０１において制御部１は光ディスクの強制排出指示が所定期間内に所定回数あったか否かを判定する。強制排出指示は操作部２を介して行われ、例えば長押しの押釦操作によって指示される。所定期間及び所定回数は、いずれも限定されるものではないが、１分間で２回等、比較的短期間で複数回であることが望ましい。強制排出指示が比較的短期間で複数回行われている場合には、ユーザが光ディスクの強制排出指示を行っているにもかかわらず光ディスクが排出されていないものと考えられるからである。光ディスクの強制排出指示が所定期間内に所定回数あったときは（ステップＳ０１のＹ）ステップＳ０２に進み、光ディスクの強制排出指示が所定期間内に所定回数ないときは（ステップＳ０１のＮ）ステップＳ０１に戻る。
【００３８】
ステップＳ０２において制御部１はディスク検知センサ４に光ディスク装置３０の内部に光ディスクが存在するか否かを検知させる。
【００３９】
ステップＳ０３において制御部１はディスク検知センサ４の検知結果に基づいて光ディスク装置３０の内部に光ディスクが存在するか否かを判定する。例えば、ステップＳ０２においてディスク検知センサ４が赤外線発光部と赤外線受光部とからなる場合には、赤外線発光部に赤外線を放出させ、これを赤外線受光部が受光したか否かによって判定し、より具体的には赤外線受光部が赤外線発光部から放出された赤外線を受光しなかったときに光ディスク装置３０の内部に光ディスクが存在すると判定する。
【００４０】
光ディスク装置３０の内部に光ディスクが存在すると判定したときは（ステップＳ０３のＹ）ステップＳ０４に進み、光ディスク装置３０の内部に光ディスクが存在しないと判定したときは（ステップＳ０３のＮ）ステップＳ０１に戻る。
【００４１】
ステップＳ０４において制御部１は報知部を介して光ディスクの排出が不能であることを報知する。これによってユーザに光ディスクの排出が不能であることを知らせることができる。報知方法は特に限定されず、報知の態様は特に制限されないが図４に示すような表示部３への表示や音声案内が例示される。表示部３への表示を例に説明すると、制御部１はメモリ等から光ディスクの排出が不能であることを示すメッセージデータを読み出してＯＳＤ映像信号生成部５に供給する。ＯＳＤ映像信号生成部５はそのメッセージデータに基づいてＯＳＤ映像信号を生成し、映像信号処理部６に（制御部１を介して）出力する。
【００４２】
そして、映像信号処理部６は映像・音声デコード部（図示せず）でデコードされた映像信号に対してＯＳＤ映像信号生成部５によって生成されたＯＳＤ映像信号を重畳して合成した映像信号を出力し、表示部３に表示される。なお、制御部１により映像信号の出力が禁止されている場合には、映像信号処理部６はＯＳＤ映像信号のみを出力する。
【００４３】
本実施形態では、光ディスクの排出が不能であることを報知することとしているが、光ディスクの排出が不能となった原因を特定することができる場合には、その原因も併せて報知することとしてもよい。
【００４４】
本実施形態によれば、光ディスク排出時に光ディスク検知センサを使用して光ディスク装置の内部に光ディスクが存在するか否かを判定し、存在する場合には光ディスクの排出が不能であることを報知するので、ユーザが不要な（無駄な）強制排出指示を実行することを防ぐことができる。
【００４５】
[第２実施形態]
本発明の光ディスク装置３０の第２実施形態について図３を用いて説明する。図３は、本発明の光ディスク装置の制御部が実行する処理の流れを示す第２のフローチャートである。なお、本実施形態のステップＳ１１〜ステップＳ１３は、第１実施形態のステップＳ０１〜ステップＳ０３と、また、本実施形態のステップＳ１７は、第１実施形態のステップＳ０４と同一であるため説明を省略する。
【００４６】
なお、本実施形態において光ディスク装置３０は大径ディスク（直径が１２ｃｍの光ディスク、以下１２ｃｍディスクという）と小径ディスク（直径が８ｃｍの光ディスク、以下８ｃｍディスクという）とを収納可能な光ディスク装置であって、ディスク検知センサ４は大径ディスクが光ディスク装置３０の内部に存在するか否かを検知できる位置に設けられており、光ディスク装置３０の内部に存在するか否かを検知できる位置には設けられていないものとする（ディスク検知センサ４は、装置内部に大径ディスクが存在するか否かのみ検知可能なものとする）。
【００４７】
ステップＳ１３において制御部１がディスク検知センサ４の検知結果に基づいて光ディスク装置３０の内部に光ディスクが存在しないと判定したときにはステップＳ１４に進み、制御部１は光ピックアップ１０のレーザーダイオード１１にレーザー光を放射させる。
【００４８】
ステップＳ１５において制御部１はステップＳ１４においてレーザーダイオード１１が放射したレーザー光を受光素子１４が受光したか否かに基づいて光ディスク装置３０の内部に光ディスクが存在するか否かを判定する。すなわち、光ディスク装置３０の内部に光ディスクが存在するときにはレーザーダイオード１１から放射されたレーザー光が光ディスクによって反射されて、受光素子１４が当該反射光を受光するため、受光素子１４が反射光を受光したときは光ディスク装置３０の内部に光ディスクが存在すると判定する。
【００４９】
光ディスク装置３０の内部に光ディスクが存在すると判定したときは（ステップＳ１５のＹ）ステップＳ１６に進み、光ディスク装置３０の内部に光ディスクが存在しないと判定したときは（ステップＳ１５のＮ）ステップＳ１１に戻る。
【００５０】
本実施形態においては上述したようにディスク検知センサ４は８ｃｍディスクが光ディスク装置３０の内部に存在するか否かを検知できない位置に設けられている。これは近年において１２ｃｍディスクが主流になってきていることが原因として挙げられる。従って、ステップＳ１３において判定されているのは、光ディスク装置３０の内部に１２ｃｍディスクが存在するか否かであり、８ｃｍディスクが存在していても光ディスクが存在していると判定することはできない。
【００５１】
そこで、ステップＳ１６において８ｃｍディスクが光ディスク装置３０の内部に存在するか否かを判定することとしている。なお、ステップＳ１６における判定は８ｃｍディスクと１２ｃｍディスクのいずれの光ディスクが存在していても、光ディスク装置３０の内部に光ディスクが存在すると判定するものであり、ステップＳ１２〜ステップＳ１３を省略し、ステップＳ１１の後にステップＳ１４の処理を行うこともできるが本実施形態のように行うことが望ましい。
【００５２】
何故なら、レーザーダイオード１１は消耗品であり、光ディスク再生時のみならず、本実施形態のように光ディスクを強制排出する時においても発光させることとすると寿命が短くなってしまうからである。従って、本実施形態のように強制排出時において光ディスク装置３０の内部に光ディスクが存在するか否かを判定する際には、まず光ディスクセンサ４を用いて判定し、それによって判定できない場合にのみレーザーダイオード１１を用いて判定することが望ましい。
【００５３】
[その他]
上記第１実施形態のステップＳ０３及び第２実施形態のステップＳ１５において制御部１が光ディスク装置３０の内部に光ディスクがないと判定したときは（ステップＳ０３のＮ、ステップＳ１５のＮ）はそれぞれステップＳ０１、ステップＳ１１に戻ることとしているが、光ディスク装置３０の内部に光ディスクがないことを報知することとしてもよい。例えば、「ディスクを取り出すことができません。装置内にディスクはありません。」などと表示部３に表示することとしてもよい。
【産業上の利用可能性】
【００５４】
本発明は、光ディスク装置から光ディスクが排出されないときにユーザに対して光ディスクの排出が不能であることを報知する光ディスク装置に利用できる。
【符号の説明】
【００５５】
１  制御部
４  ディスク検出センサ
５  ＯＳＤ映像信号生成部
６  映像信号処理部
８  報知部
１０  光ピックアップ
１１  レーザーダイオード
３０  光ディスク装置
【図１】
2012238353.tif 000003
【図２】
2012238353.tif 000004
【図３】
2012238353.tif 000005
【図４】
2012238353.tif 000006